(57)【要約】      （修正有）【課題】シンク内に一時的に水を溜めることができる開閉機能を有した排水口用蓋を提供する。【解決手段】シンクの排水口２に合致する鍔部を有した下部体２２に設けた収容部２３の外周に形成した斜面部１５を鍔部内側に連結し、収容部の周囲に設けた棚部２８と、下部体２２のボス部２５とを連結片で一体に連結し、棚部とボス部との間に複数の連通口３０を形成し、ボス部にネジ孔２４を有した下部体２２と、上面のドーム部１２の周縁部に複数の凹窪部を形成し、底面部の外周に連続して斜面部１５を設け、下方に突出したネジ軸１６を固着した円蓋１１とからなり、ネジ軸１６をネジ孔２４に螺合し、斜面部１５と傾斜面２６とを接離可能に収容部内に収容し、円蓋１１を上下動可能に設けて連通口３０を開閉させる。【選択図】図７
2017122348.tif 000002
【特許請求の範囲】
【請求項１】
シンクに形成した排水口（２）の内径と外周が合致する鍔部（２０）を上部に有した下部体（２２）の中央に設けた収容部（２３）の外周に連続した斜面部（１５）の上端を鍔部に連結し、該収容部の周囲に設けた棚部（２８）と、下部体（２２）の中央に設けたボス部（２５）とを複数の連結片（２９）で一体に連結すると共に、該棚部とボス部との間には前記連結片(２９)を介して複数の連通口（３０）を形成し、該ボス部に上下方向に貫通したネジ孔（２４）を有した下部体（２２）と、
上面に設けたドーム部（１２）の周縁部に複数の凹窪部（１３）を形成し、底面部（１４）の外周に連続して斜面部１５を設け、下部に固着したネジ軸１６を下方に突出した円蓋１１）とからなり、
前記円蓋のネジ軸（１６）を前記ボス部に設けたネジ孔（２４）に螺合し、前記円蓋の斜面部（１５）と前記下部体に設けた収容部（２３）の傾斜面（２６）とを接離可能に該収容部内に収容した該円蓋（１１）を上下動可能に設け、前記斜面部（１５）と傾斜面（２６）および前記連通口（３０）を開閉させることを特徴とするシンクの排水口用蓋。
【請求項２】
前記円蓋の底面部（１４）の周囲から連続して斜め外方に立ち上げて斜状に形成した斜面部（１５）と、下部体（２２）の上面中央に凹入して底面を一段と低く形成した収容部（２３）の底面外周に連続して斜め外方に立ち上げて斜状に形成した傾斜面（２６）とを、円蓋の底面部中心に設けたネジ軸（１６）にボス部のネジ孔（２４）に回転可能に螺合したネジ軸（１６）を一方又は他方に回転させて互いに開閉させることを特徴とする請求項１記載のシンクの排水口用蓋。
【請求項３】
前記円蓋（１１）の底面部の中心に下方から埋設して固着したネジ軸（１６）の上端に、該ネジ軸より大径に形成した頭部（１７）を設けてなることを特徴とする請求項１記載のシンクの排水口用蓋。
【請求項４】
前記収容部（２３）の外周に設けた棚部（２８）と下蓋（２１）の中心に設けたボス部（２７）とを複数の連結片（２９）で等間隔に連結してなるボス部と棚部との間に、略三角形状をした連通口（３０）を該連結片を介して同心円状に設けてなることを特徴とする請求項１記載のシンクの排水口用蓋。
【請求項５】
前記ボス部（２５）に設けたネジ孔（２４）には、該ネジ孔と同径のネジ孔を有した金属ナット（３１）を一連に連続して設けてなることを特徴とする請求項１記載のシンクの排水口用蓋。
【発明の詳細な説明】
【技術分野】
【０００１】
本発明は、シンクの排水口を遮蔽して目立たなくすることにより外観イメージを向上させると共に、シンク内に一時的に水を溜めることができる開閉機能を有した排水口用蓋に関するものである。
【背景技術】
【０００２】
例えば、合成樹脂材を使用して形成したキッチン用のシンク、特に、人工大理石製のシンクは、外観の美しさと高級感を有することから高級マンションや高級住宅用のシステムキッチンとして広く使用されている。
【０００３】
従来の流し台（シンク）は、シンクの中央後部やコーナー部分に排水口を設けてあり、シンクの底面を排水口に向かってゆるやかな下り勾配にすると共に、排水口にはごみ除去用の排水トラップを取り付け、調理や食後の後片付けを行う際の水はけを良好にした蓋が取り付けられている。
【０００４】
さらに、蓋に連通する排水トラップには、調理時に生じる野菜屑等のゴミや食べ残し屑などを溜めておく収容カゴを有しており、野菜屑などのゴミが排水トラップによって除去され、排水口に接続した排水管に詰まりが生じないようにした蓋が知られている。  
【０００５】
従来、シンクはステンレス製のものが多かったが、最近は人工大理石などで成形加工により形成したシンクが多くなっている。このシンクの底面に設けた排水口は、その下方に排水トラップを接続してあるため、排水口部は人工大理石のアイボリー色以外に、排水トラップに接続するステンレス製の排水口がシルバー色に輝いて違和感を有していた。
【０００６】
シンクの排水口の部分は、通常、３つのタイプがある。第１は、排水トラップのフランジが、シンク底面に環状に露出するタイプである。第２は、排水トラップのフランジがシンク内に露出しないよう、シンク排水口部が排水口用蓋の肉厚分を座ぐりして同心円状の凹入部が形成され、この凹入部内に排水口用蓋を凹ませて収容し、シンク底面を略平坦になるようにするタイプである。
【０００７】
第３は、シンク部が排水トラップの部分まで一体構造になっており、排水トラップのフランジが根本的になくなり、排水口用蓋を取り付けることによりシンクの底面が略平坦になるように設計されているタイプである。この第３のタイプの排水口用蓋には、野菜屑などをシンク内に溜めないで流下することができるように広い開口部を有し、且つ、開口したままの状態であることから違和感がある。
【先行技術文献】
【特許文献】
【０００８】
【特許文献１】実公昭４９―１４５１４号
【特許文献２】特開２００８―７５２６８号
【０００９】
シンクの排水口に取り付ける排水蓋の多くは、錆びにくいステンレス材により形成されている。しかしながら、人工大理石製のシンクの排水口にステンレス製の排水蓋を取り付けると、ステンレスのシルバー色が目立って違和感が生じる。しかるに、昨今のシステムキッチンのは多くは、対面キッチンやアイランドキッチン等が使用され、これらのキッチンは人目につきやすい位置にあり、シンク内はもちろん排水口まで見えるようになっている。そのため、シンクに取り付ける金属製の排水口に違和感が生じ、人工大理石製キッチンの高級感やきれいなイメージが阻害され、さらに、排水蓋に設けた排水口が見えるためシンクが汚いというイメージが生じ、せっかくの高級感が損なわれるという問題点を有していた。
【発明の概要】
【発明が解決しようとする課題】
【００１０】
本発明は、シンクの排水口用蓋をシンクと同一素材で円蓋と下部体を形成し、且つ、排水口を見えなくするように覆って遮蔽し、円蓋を上下に可動して水の流路を調整して水はけをよくする．また、野菜屑などのゴミの大きさに応じて円蓋と下部体との間に生じる開口部である流入口の大きさを変えることにより、大きいゴミでも下方に流して人の目に触れないように隠し、シンク内にゴミが溜まるのを防いでいる。さらに、必要に応じてシンク内に一時的に水を溜めることができるように円蓋を上下に可動させて該円蓋と下部体とからなる排水口用蓋に開閉機能を有するようにしたことにより使い勝手を高めることを課題とするものである。
【課題を解決するための手段】
【００１１】
上記目的を達成するため、本発明は、シンクに形成した排水口２の内径と外周が合致する鍔部２０を上部に有した下部体２２の中央に設けた収容部２３の外周に連続した斜面部１５の上端を鍔部に連結し、該収容部の周囲に設けた棚部２８と、下部体２２の中央に設けたボス部２５とを複数の連結片２９で一体に連結すると共に、該棚部とボス部との間には前記連結片を介して複数の連通口３０を形成し、該ボス部に上下方向に貫通したネジ孔２４を有した下部体２２と、上面に設けたドーム部１２の周縁部に複数の凹窪部１３を形成し、底面部１４の外周に連続して斜面部１５を設け、下部に固着したネジ軸１６を下方に突出した円蓋１１とからなり、前記円蓋のネジ軸１６を前記ボス部に設けたネジ孔２４に螺合し、前記円蓋の斜面部１５と前記下部体に設けた収容部２３の傾斜面２６とを接離可能に該収容部内に収容した該円蓋１１を上下動可能に設け、前記斜面部１５と傾斜面２６及び前記連通口３０を開閉させることを特徴とする。また、前記円蓋の底面部１４の周囲から連続して斜め外方に立ち上げて斜状に形成した斜面部１５と、下部体２２の上面中央に凹入して底面を一段と低く形成した収容部２３の底面外周に連続して斜め外方に立ち上げて斜状に形成した傾斜面２６とを、円蓋の底面部中心に設けたネジ軸１６にボス部のネジ孔２４に回転可能に螺合した該ネジ軸を一方又は他方に回転させて互いに開閉させることを特徴とする。さらに、前記円蓋１１の底面部の中心に下方から埋設して固着したネジ軸１６の上端に、該ネジ軸より大径に形成した頭部１７を設けてなることを特徴とする。さらにまた、前記収容部２３の外周に設けた棚部２８と下部体２２の中心に設けたボス部２５とを複数の連結片２９で等間隔に連結してなるボス部と棚部との間に、略三角形状をした連通口３０を、該連結片を介して同心円状に設けてなることを特徴とする。さらに、前記ボス部２５に設けたネジ孔２４には、該ネジ孔と同径のネジ孔を有した金属ナット３１を一連に連続して設けてなることを特徴とするものである。
【００１２】
本発明は上記のような構成を有したものであるから、シンクの排水口２の内径と合致する径の鍔部２０を有した排水口用蓋１０の下部体に設けた収容部の外周に斜状の傾斜面２６と合致する斜状の斜面部１５を有した円蓋１１を、下部体の収容部２３内に収容した円蓋は、下部に設けたネジ軸１６が前記下部体の中央部に設けたネジ孔２４に回転可能に螺合してあるので、この円蓋を一方又は他方に回転させることにより該円蓋を上昇又は下降させることにより、前記傾斜面２６と斜面部１５とを接離にすることができる。
【００１３】
また円蓋と下部体とは、円蓋の底面部１４が下部体の収容部２３内に収容されて密着すると、該収納部２３に設けた複数の連通口は前記底面部により閉鎖し、この円蓋と下部体は１次的に傾斜面２６と斜面部１５とが密着して水の浸入を遮断する。さらに円蓋と下部体は２次的に円蓋１１が下降して収容部２３内に密着すると該底面部で収容部内に開口している連通口３０を閉鎖することにより水は連通口に流入できなくなり、排水口用蓋で水を遮断することができる。このように２重に水の流入を遮断することにより水密性を高めて、シンク内に一時的に水を溜めることができるようにしたものである。
【００１４】
排水口用蓋の開閉操作は、円蓋の上面に設けたドーム部１２の表面に設けた複数の凹窪部１３に指先を掛止して下方に押圧しながら回転することにより該円蓋に固着したネジ軸１６を一方又は他方に回転させて、円蓋を上下に可動させることにより行うものである。円蓋１１のドーム部の上面はなだらかに形成してあるので、水がドーム部の表面に留まることなくドーム部の周縁部から流下する。
【図面の簡単な説明】
【００１５】
【図１】本発明の実施形態に係る排水口用蓋の平面図である。
【００１６】
【図２】排水口用蓋の正面図である。
【００１７】
【図３】図１のＡ−Ａ線方向断面図である。
【００１８】
【図４】排水口用蓋の底面図である。
【００１９】
【図５】下部体の収容部から円蓋を取り外した状態の下部体の平面図である。
【００２０】
【図６】円蓋を取り外した下部体の斜視図である。
【００２１】
【図７】シンクの排水口に装着した排水トラップの上部に取り付けた排水口用蓋の円蓋を上昇させて連通口を開口した状態の縦断面図である。
【００２２】
【図８】下部体の収容部から円蓋を上昇させて連通口を開口した状態の排水口用蓋の斜視図である。
【００２３】
【図９】シンクの排水口に排水口用蓋を取り付けた状態の平面図である。
【発明を実施するための形態】
【００２４】
本発明の実施形態を図面に基づいて説明すると、図１は本発明の実施形態に係る排水口用蓋の平面図、図２は排水口用蓋の正面図、図３は図１のＡ−Ａ線方向断面図、図４は排水口用蓋の底面図、図５は下部体の収容部から円蓋を下蓋から取り外した状態の下部体の平面図、図６は円蓋を取り外した下部体の斜視図である。  
【００２５】
シンク１の排水口２に取り付ける排水口用蓋１０は、該シンクと同一素材で形成してあり、例えば、人工大理石原板（もしくは原板を積層したもの）を接着加工して製造するもので、円蓋１１は中央が最も高く、周囲が徐々に低くなるようなドーム部１２に形成し、該円蓋の周縁部上面には複数個、例えば、４個の凹窪部１３を等間隔に設けてある。該円蓋の下面に形成した平坦な底面部１４の周面には、外周面を上方に斜状に立ち上げて斜面部１５を形成してある。さらに、円蓋１１の下面中心に下方から埋設させるネジ軸１６の上端にはやや大径な頭部１７を設けてあり、該頭部に連結した長尺なネジ軸の下部は円蓋の中心部から下方に突出している。    
【００２６】
前記円蓋１１より大径に形成した鍔部２０を周縁部に有した下部体２２の上面中央に収容部２３を設けてある。この下部体２２の上面中央に凹入させて設けた収容部２３の中心から上下方向に貫通して形成したネジ孔２４を有したボス部２５を該下部体２２の中心部分に設けてある。
【００２７】
この収容部２３の外周には、下部から上方に斜状に立ち上げて形成した傾斜面２６の上部を、前記鍔部２０の内側に連結してある。この傾斜面２６は前記円蓋の斜面部１５と密着接するよう同じ角度に形成して互いに密着できるようにしてある。即ち、垂直面でなく斜状に形成したことにより、円蓋の斜面部１５と下部体２２の傾斜面２６との接着面を広く形成することができ、それによって水密性を高めている。また、収容部２３は前記鍔部２０の平面部分より一段低くなるように凹入して形成してあるので、上部にドーム部１２を有した円蓋１１の高さをできるだけ低くなるように形成してある。
【００２８】
下部体２２の中心に設けたボス部２５の中心には、前記円蓋の下部中心に設けたネジ軸１６を、ネジ孔２４に回転可能に螺合してあり、ボス部２５と、収容部２３の外周に位置する傾斜面２６の下端に連なる略環状をした棚部２８とをそれぞれ連結片２９で一体に連結してある。該棚部２８とボス部２５との間には、同心円状に略三角形状をした複数、例えば４個の連通口３０を等間隔に設けてあり、前記棚部２８とボス部２５とを連結する複数の連結片２９は、前記略三角形状の連通口３０，３０の間にそれぞれ介在して設けてある。
【００２９】
ボス部２５の中心に設けたネジ孔２４には、前記円蓋１１の下部に固着したネジ軸１６が上下動するように螺合してある。さらにこのネジ孔の途中には、該ネジ孔に回転可能に螺合するネジ軸１６との経年変化により樹脂部分に設けたネジ孔が短期間に劣化するのを防止するため、同径のネジ孔を有した金属ナット３１を、該ネジ孔２４と一連に連続させてボス部２５に埋設してある。
【００３０】
排水口用蓋１０を構成する円蓋１１と下部体２２は、シンク１と同一素材の合成樹脂材で形成してあるが、同一色にする場合と、カラーコーディネート上、違う色で製造する場合とがある。
【００３１】
次に、本発明に係る実施形態の作用について説明すると、シンク１の排水口２に排水口用蓋１０を取り付けるには、シンクの底面に設けた排水口内に設けた段部３上にゴムなどの柔軟部材からなるパッキン４を装着し、該パッキン上に排水トラップ５のフランジ６を掛止し、該フランジ上に排水口用１０の鍔部２０を取り付けてある。この場合、フランジ６上には、鍔部２０の上面とシンクの底面とが略同一面になるように収容してある。
【００３２】
円蓋１１と下部体２２を組み合わせてなる排水口用蓋１０の使用法について説明すると、シンクの上方に位置したカラン（図示せず）から流下する水により調理用の野菜類や魚介類を洗浄したりする場合、円蓋１１を反時計方向に回転すると下部体２２のボス部２５に設けたネジ孔２４に螺合したネジ軸１６が回転して円蓋は回転しながら上昇し、該円蓋が上昇して斜面部１５と収容部の傾斜面２６とで形成する流入口Mは開口する（図７）。
【００３３】
円蓋１１が回転しながら上昇すると、円蓋の下面外周に設けた斜面部１５は、下部体２２の収容部２３の周面に設けた傾斜面２６から離れ、それと同時に、上昇した円蓋１１の底面部１４が収容部２３の底面から離れると、収容部の底面に設けた複数の連通口３０は開口し、流水や野菜屑は該連通口３０を通過して下方の排水トラップ２５内に流入し、水に混入した野菜くずなどのゴミなどは排水トラップ内に溜められるが、水は流下する。
【００３４】
この円蓋１１を上方に可動させるには、円蓋のドーム部１２の周縁部上面に設けた複数の凹窪部１３に指先を合致させて掛止し、該円蓋を周方向、例えば反時計方向に回転させると、該円蓋の下部に固着したネジ軸１６が下部体２２のボス部２５に設けたネジ孔２４に螺合しているため、円蓋１１は回転しながら上昇する。
【００３５】
円蓋１１を回転させて上昇させると、円蓋の斜面部１５と下部体に設けた収容部２３の傾斜面２６との間に生じる流入口Ｍは、図７に示すように大きく開口し、水に野菜屑などのゴミが混入していても、流入口Ｍが広く開口していれば流入することができ、シンクの底面にゴミ等が溜まることはない。
【００３６】
流入口Ｍの開口の広さより大きいゴミは、流入口Ｍ内に流入することができないため、ゴミ等を手などで摘まんで取り出すことになるので、野菜屑などはある程度小さく切り刻む必要がある。この流入口Ｍの開口の広さは、ネジ軸１６の長さに限定されるので、支障とならない程度に長尺のものが好ましい。
【００３７】
円蓋を回転させながら上昇させると、円蓋の底面部１４は収容部２３から離れ、該収容部に設けた各連通口３０の上端は開口し、円蓋１１の底面部と下部体の収容部２３の上面との間が離れ、円蓋の底面部は収容部から離れると同時に、円蓋の斜面部１５と収容部に連なる傾斜面２６とは離れて流入口Ｍは開口する（図７)。
【００３８】
上方に位置したカラン(図示せず)から円蓋のドーム部３上に流下する水は、該ドーム部の周縁部方向に流れ落ち、円蓋の周縁部分に連続して該円蓋の下面に設けた斜面部１５と、下部体の収容部２３の外周縁部から中心方向に斜状に下り勾配に設けた傾斜面２６との間の流入口Ｍは開口し、該傾斜面に沿って流下して収容部２３内に流れ込み、該収容部の底面に設けた連通口３０から下方に流下する。
【００３９】
次に、シンク内に一時的に水を溜める場合は、円蓋のドーム部の表面に設けた複数の凹窪部１３に指先を掛止した円蓋を時計方向に回転させると、ボス部２５に設けたネジ孔２４に螺合したネジ軸１６が回転して円蓋１１は回転しながら降下する。この円蓋が下降すると周面に設けた斜面部１５は、下部体の収容部２３の外周に設けて傾斜面２６に密着して前記流入口Ｍを閉鎖すると共に、円蓋の底面部１４が下降して、収容部の底面に設けた複数の連通口３０の上端に密着して該連通口を閉鎖する。このように円蓋１１と下部体２２とを二段式に密着させるため水の遮断効果を高めることができる。
【００４０】
シンクの排水口２に取り付けた排水口用蓋１は、排水口の下部に設けた段部３上に、柔軟な環状のパッキン４を介在して排水トラップのフランジ６上に、前記下蓋の蓋部２０の下面に密着するため、排水口と鍔部の間から進入した水はパッキン４で遮断され、水の流入を遮断することができる。
【００４１】
円蓋１１を回転させることにより該円蓋を上下方向に可動できるため、円蓋１１と下部体２２とからなる排水口用蓋１は、比較的大きな野菜屑等のゴミが生じるような場合には、該円蓋を回転してさらに上昇させることにより円蓋と下部体との間に生じる流入口Ｍを大きく開口させれば、該流入口Ｍに野菜屑などが引っかかって溜まることはなく、水とともに流下することができる。
【００４２】
また、円蓋に固着したネジ軸１６の下部に着脱可能に止環(図示せず)を取り付けて、円蓋１１が上昇しすぎてボス部のネジ孔２４からの離脱を防止することもできる。なお、円蓋に設けたネジ軸１６を、下部体のボス部に設けたネジ孔２４から取り外せば、円蓋１１を下部体２２から取り外して裏面などを清掃することができる利点を有している。
【符号の説明】
【００４３】
１      シンク
２      底面
１０      排水口用蓋
１１      円蓋
１２      ドーム部
１３      凹窪部
１４      底面部
１５      斜面部
１６      ネジ軸
１７      頭部
２０      鍔部
２２      下部体
２３      収容部
２４      ネジ孔
２５      ボス部
２６      傾斜面
２８      棚部
２９      連結片
３０      連通口
３１      金属ナット
Ｍ      流入口
【図１】
2017122348.tif 000003
【図２】
2017122348.tif 000004
【図３】
2017122348.tif 000005
【図４】
2017122348.tif 000006
【図５】
2017122348.tif 000007
【図６】
2017122348.tif 000008
【図７】
2017122348.tif 000009
【図８】
2017122348.tif 000010
【図９】
2017122348.tif 000011